(57)【要約】      （修正有）【課題】彫金のものと比べても豪華さを有していて、軽くて、安価な王冠、ティアラ等の頭飾品等に用いることができる装飾素材を提供する。【解決手段】２本の略１００％のアルミニューム針金に、均等に撚りを加えた数珠繋ぎ状の撚り線の全部又は一部を曲線形状に成形した二次元曲線形状からなり、断面が丸状の成形撚り線を、加工台に載せて、ハンマー等でＺ方向に叩いて扁平加工して、断面がＺ方向の辺が短い矩形状となった単体装飾品素材において、ＸＹ平面における単体装飾品素材の中心線が、Ｙ＝Ｆ（Ｘ）で表され、単体装飾品素材の中心線の一部が二次元曲線形状となることを特徴とする単体装飾品素材。【選択図】図５
0003138212.tif 000002
【実用新案登録請求の範囲】
【請求項１】
２本の略１００％のアルミニューム針金に、均等に撚りを加えた数珠繋ぎ状の撚り線の全部又は一部を曲線形状に成形した二次元曲線形状からなり、断面が丸状の成形撚り線を、加工台に載せて、ハンマー等でＺ方向に叩いて扁平加工して、断面がＺ方向の辺が短い矩形状となった単体装飾品素材において、ＸＹ平面における単体装飾品素材の中心線が、Ｙ＝Ｆ（Ｘ）で表され、単体装飾品素材の中心線の一部が二次元曲線形状となることを特徴とする単体装飾品素材。
【請求項２】
ＸＹ平面における単体装飾品素材の中心線が、Ｙ＝Ｆ（Ｘ）で表され、単体装飾品素材の中心線の一部が二次元渦巻き線形状となることを特徴とする請求項１に記載された単体装飾品素材。
【請求項３】
２本の略１００％のアルミニューム針金に、均等に撚りを加えた数珠繋ぎ状の撚り線の全部又は一部を曲線形状に成形した二次元曲線形状からなり、かつ数珠繋ぎ状の撚り線の途中で鋭角に折り曲げてあり、断面が丸状の成形撚り線を、加工台に載せて、ハンマー等でＺ方向に叩いて加工した断面がＺ方向の辺が短い矩形状となった単体装飾品素材において、ＸＹ平面における単体装飾品素材の中心線が、ＸＹ平面における単体装飾品素材の中心線が、Ｙ＝Ｆ（Ｘ）で表され、単体装飾品素材の途中でＸＹ平面内に鋭角に折った折り曲げ部を有することを特徴とする請求項１に記載された単体装飾品素材。
【請求項４】
ＸＹ平面における単体装飾品素材の中心線が、Ｙ＝Ｆ（Ｘ）で表され、単体装飾品素材の途中でＸＹ平面内に鋭角に折った折り曲げ部を有することを特徴とする請求項１に記載された単体装飾品素材。
【請求項５】
請求項１から請求項４の何れかに記載された単体装飾品素材２組の単体装飾品素材を選択して、略１００％のアルミニューム接合板によってかしめ接合させて一つの複合装飾品素材としたことを特徴とする複合装飾品素材。
【請求項６】
請求項１から請求項５の何れかに記載された装飾品素材から２組の装飾品素材を選択して、略１００％のアルミニューム接合板によってかしめ接合させて一つの複合装飾品素材としたことを特徴とする複合装飾品素材。
【請求項７】
請求項１〜請求項６の何れかに記載の単体装飾品素材又は複合装飾品素材を用いてなる王冠。
【請求項８】
請求項１〜請求項６の何れかに記載の単体装飾品素材又は複合装飾品素材を用いてなるティアラ。
【請求項９】
請求項１〜請求項６の何れかに記載の単体装飾品素材又は複合装飾品素材を用いてなるオブジェ。
【考案の詳細な説明】
【技術分野】
【０００１】
本考案は、軽くて、安価な王冠、ティアラ等の頭飾品等に用いることができる装飾素材に関する。
【０００２】
本考案は、軽くて、安価な王冠、ティアラ等の頭飾品等に関する。
【背景技術】
【０００３】
従来から、王冠、ティアラ等の装身具は、中世ヨーロッパにて王室や貴族の権威の象徴であり、高度な彫金技術を要し、金銀・宝石で装飾した希少価値の高い工芸品として、現在も高い地位を確立しています。
【０００４】
我国では、王冠、ティアラ等の頭飾品は、主にクラッシックバレエやブライダルの頭飾りとして用いられるため、安く、安価で手軽に作れるビーズのものが主流となっていた。
【０００５】
しかし、ビーズのものには、彫金のものと比べると豪華さにかけるという欠点が有った。
【０００６】
したがって、彫金のものと比べても豪華さを有していて、軽くて、安価な王冠、ティアラ等の頭飾品の提供が望まれていた。
【０００７】
以下は、本考案とは直接関係ないが、王冠、ティアラ等の頭飾品とは何かについて説明した特許文献である。
【特許文献１】特開平９−３０８５１２号公報
【考案の開示】
【考案が解決しようとする課題】
【０００８】
本考案が解決しようとする課題は、彫金のものと比べても豪華さを有していて、軽くて、安価な王冠、ティアラ等の頭飾品等に用いることができる装飾素材を提供することである。
【０００９】
本考案が解決しようとする課題は、彫金のものと比べても豪華さを有していて、軽くて、安価な王冠、ティアラ等の頭飾品等を提供することである。
【課題を解決するための手段】
【００１０】
本考案者は、上記従来技術が有する各種の問題点に鑑み、鋭意検討を重ねた結果、本考案を想到するに至った。
【００１１】
従来、我国では、王冠、ティアラ等の頭飾品は、主にクラッシックバレエやブライダルの頭飾りとして用いられるため、安く、安価で手軽に作れるビーズのものが主流となっていた。
【００１２】
しかし、ビーズのものには、彫金のものと比べると豪華さにかけるという欠点が有った。
【００１３】
したがって、彫金のものと比べても豪華さを有していて、軽くて、安価な王冠、ティアラ等の頭飾品の提供が望まれていた
出願人は、かかる状況に鑑みて、軽銀細工（アルミ細工）の技術を適用するという着想によって、彫金のものと比べても豪華さを有していて、軽くて、安価な王冠、ティアラ等の頭飾品等に用いることができる装飾素材を提供することが可能となった。
【００１４】
軽くて、安価な王冠、ティアラ等の頭飾品等に用いることができる装飾素材を提供することが可能となったことによって、軽くて、安価な王冠、ティアラ等の頭飾品等を提供することが可能となった。
【００１５】
課題を解決するための手段は、本願、実用新案登録請求の範囲の各請求項に記載の考案であり、その具体的な解決手段は、以下の通りである。
【００１６】
本考案の解釈上の疑義を解消すべく、以下予め用語の説明を行うこととする。
【００１７】
＜用語の説明＞
○軽銀細工（アルミニューム細工）とは、手先を使って細かい装飾素材などを作ることをいう。または、軽銀細工（アルミニューム細工）によって作ったもの（装飾素材、を用いた頭飾品などをいう。）をいう場合もある。
○略１００％のアルミニューム針金とは、軽銀細工（アルミニューム細工）の基本材料であり、２本のアルミニューム針金（線形が、異なっても可）を２組用意して、撚りを加えて１本の数珠繋ぎ状の撚り線を製作する。
【００１８】
より具体的には、略１００％のアルミニューム針金とは、アルミニウム純度約９５％〜１００％のアルミ針金（０．９ｍｍ〜３ｍｍ）をいう。
【００１９】
２本のアルミニューム針金の組合せ例としては、以下の通りである。
【００２０】
０．９ｍｍと０．９ｍｍ、０．９ｍｍと１ｍｍ、１ｍｍと１ｍｍ、１ｍｍと１．２ｍｍ、１．２ｍｍと１．２ｍｍ、１．２ｍｍと１．６ｍｍ、１．６ｍｍと１．６ｍｍ、１．６ｍｍと２ｍｍ、２ｍｍと２ｍｍ、２ｍｍと２．６ｍｍ、２．６ｍｍと２．６ｍｍ等の組合せ例が有る。
○数珠繋ぎ状の撚り線とは、２本のアルミニューム針金（線形が、異なっても可）を２組用意して、撚りをかけて製作した１本の数珠繋ぎ状の撚り線をいう。
○断面が丸状の成形撚り線とは、結束バンドを収納するために上部が開閉する縦長形状の袋状構造をしたものである。
○全部又は一部を曲線形状に成形した二次元曲線形状とは、均等に撚りを加えた数珠繋ぎ状の撚り線（直線状）の全部又は一部を曲線形状に成形した二次元曲線形状をいう。
○扁平加工とは、二次元曲線形状からなる断面が丸状の成形撚り線を、加工台に載せて、ハンマー等でＺ方向に叩いて扁平にする加工をいう。ここに、断面が丸状の成形撚り線を、扁平加工にした結果物が、断面がＺ方向の辺が短い矩形状となった単体装飾品素材である。
○装飾品素材とは、単体装飾品素材と複合装飾品素材に分類される。
○単体装飾品素材とは、アルミニューム接合板を構成要素としていない装飾品素材をいう。
○複合装飾品素材とは、単体装飾品素材同士、単体装飾品素材と複合装飾品素材、複合素材同士を選択して、略１００％のアルミニューム接合板によってかしめ接合させて一つの複合装飾品素材とした装飾品素材をいう。
○ＸＹ平面における装飾品素材の中心線とは、装飾品素材の断面の中心点の集合をいい、装飾品素材の断面の中心点の集合は、ＸＹ平面にある。
○Ｙ＝Ｆ（Ｘ）で表され、単体装飾品素材の中心線の一部が二次元曲線形状とは、均等に撚りを加えた数珠繋ぎ状の撚り線（直線状）の全部又は一部を曲線形状に成形した二次元曲線形状からなる断面が丸状の成形撚り線を、加工台に載せて、ハンマー等でＺ方向に叩いて扁平加工して、断面がＺ方向の辺が短い矩形状となった単体装飾品素材を製作するが、かかる単体装飾品素材の形状を表現したものである。単体装飾品素材の形状は、Ｙ＝Ｆ（Ｘ）で表され、装飾品素材の中心線の一部が二次元曲線形状となる。
【００２１】
ここに、撚り線（直線状）の全部又は一部を曲線形状に成形した二次元曲線形状、装飾品素材の中心線の一部が二次元曲線形状は、共にＹ＝Ｆ（Ｘ）で表される。
【００２２】
なお、撚り線（直線状）の全部又は一部を曲線形状に成形した二次元曲線形状は、若干三次元的に表現されていても、成形撚り線を、加工台に載せて、ハンマー等でＺ方向に叩いて扁平加工する段階で、単体装飾品素材の中心線の一部が二次元曲線形状となる。
○アルミニューム接合板とは、装飾品素材２組を、かしめ接合させて一つの装飾品素材とするために用いられ、略１００％のアルミニューム接合板である。アルミニウムは成形加工性に極めて優れて、切断、曲げ、絞りなどが容易にできる。本考案における装飾品素材２組を、かしめ接合させる板金加工にも適した材料といえる。
【００２３】
より具体的には、アルミニューム接合板には、アルミニューム（厚さ０．３ｍｍ）を巾３ｍｍ、長さ１０ｍｍ〜１６ｍｍに切断したものを用いる。
○王冠とは、例えば、ブライダル用王冠の場合は、花嫁が、ウェディングドレスの時などに頭につける王冠をいう。
○ティアラとは、正装に用いる王冠形や半円の形をしたヘッドアクセサリーをいう。
○オブジェとは、前衛芸術で、作品中に用いられる石・木片・金属などさまざまな物をいう。
【００２４】
＜記号の説明＞
○ＸＹＺ座標系とは、成形撚り線、又は単体装飾品素材において、成形撚り線を、加工台に載せて、ハンマー等で叩いて扁平加工する際の、叩くＺ方向をＺ方向（重力方向）とすれば、単体装飾品素材の中心線は、ＸＹ平面にあり、ＸＹ平面における単体装飾品素材の中心線が、Ｙ＝Ｆ（Ｘ）で表現される。
○Ｚ方向とは、加工台に載せて、ハンマー等で叩いて扁平加工する際の、叩くＺ方向（重力方向）をいう。
○ＸＹ平面とは、成形撚り線、又は単体装飾品素材において、成形撚り線を、加工台に載せて、ハンマー等で叩いて扁平加工する際の、叩くＺ方向をＺ方向（重力方向）とすれば、Ｚ方向に直行する平面をいう。単体装飾品素材の中心線は、ＸＹ平面にあり、ＸＹ平面における単体装飾品素材の中心線が、Ｙ＝Ｆ（Ｘ）で表現される。加工台の平面は、ＸＹ平面に並行であり、Ｚ方向に垂直である。
＜軽銀細工（アルミニウム細工）の制作手順＞
（１）撚り線の制作
純金のアルミニウム針金２本１、２を用意して、均等に捩って１本の撚り線３、断面は丸２個型を制作する。出来上がった１本の撚り線３は、柔軟性に富み、人の手の指で簡単に形状を整えることができる。
【００２５】
すなわち、均等な撚りを加えることによって、容易に形成が可能となり、最終的に曲線形状を有する装飾品素材の製作が可能となる。
（２）撚り線の成形
装飾品素材のデザインに基づいて、装飾品素材の各パーツ毎に撚り線（装飾品素材の材料）３の成形を行う。
【００２６】
純金のアルミニウム針金２本１、２を用意して、均等に捩って１本の撚り線３、断面は丸２個型を制作する。出来上がった１本の撚り線３は、柔軟性に富み、人の手の指で簡単に形状を整えて、均等に撚りを加えた数珠繋ぎ状の撚り線の全部又は一部を曲線形状に成形した二次元曲線形状からなり、かつ数珠繋ぎ状の撚り線の途中で鋭角に折り曲げてあり、断面が丸２個型の成形撚り線１１、１２、１３、１４を製作する。
（３）成形した撚り線の扁平加工
成形した撚り線（断面は丸２個型）１１、１２、１３、１４を、ハンマー等でＺ方向に叩いて扁平加工して、断面がＺ方向の辺が短い矩形状の装飾品素材２１、２２、２３、２４を製作する。
出来上がった断面がＺ方向の辺が短い矩形状の装飾品素材は、ＸＹ平面における装飾品素材の中心線が、Ｙ＝Ｆ（Ｘ）で表され、装飾品素材の中心線の一部が二次元曲線形状となる。これは、成形した撚り線（断面は丸２個型）の成形した形状が、扁平加工後も保持されることにより、装飾品素材２１〜２４の中心線の一部が二次元曲線形状となる。
（４）複数の装飾品素材２１、２２、２３、２４をアルミニウム板５によるかしめ接合
複数の装飾品素材をアルミニウム板５によりかしめ接合して、１つの装飾品素材３０（装飾品素材２１、２２、２３、２４からなる）とする。
【００２７】
装飾品素材のデザインによっては、着色、又は石付けを行う場合が有る。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○課題を解決するための第１の考案
課題を解決するための第１の考案は、
２本の略１００％のアルミニューム針金に、均等に撚りを加えた数珠繋ぎ状の撚り線の全部又は一部を曲線形状に成形した二次元曲線形状からなり、断面が丸状の成形撚り線を、加工台に載せて、ハンマー等でＺ方向に叩いて扁平加工して、断面がＺ方向の辺が短い矩形状となった単体装飾品素材において、ＸＹ平面における単体装飾品素材の中心線が、Ｙ＝Ｆ（Ｘ）で表され、単体装飾品素材の中心線の一部が二次元曲線形状となることを特徴とする単体装飾品素材である。
○課題を解決するための第２の考案
課題を解決するための第２の考案は、
ＸＹ平面における単体装飾品素材の中心線が、Ｙ＝Ｆ（Ｘ）で表され、単体装飾品素材の中心線の一部が二次元渦巻き線形状となることを特徴とする請求項１に記載された単体装飾品素材である。
○課題を解決するための第３の考案
課題を解決するための第３の考案は、
２本の略１００％のアルミニューム針金に、均等に撚りを加えた数珠繋ぎ状の撚り線の全部又は一部を曲線形状に成形した二次元曲線形状からなり、かつ数珠繋ぎ状の撚り線の途中で鋭角に折り曲げてあり、断面が丸状の成形撚り線を、加工台に載せて、ハンマー等でＺ方向に叩いて加工した断面がＺ方向の辺が短い矩形状となった単体装飾品素材において、ＸＹ平面における単体装飾品素材の中心線が、ＸＹ平面における単体装飾品素材の中心線が、Ｙ＝Ｆ（Ｘ）で表され、単体装飾品素材の途中でＸＹ平面内に鋭角に折った折り曲げ部を有することを特徴とする請求項１に記載された単体装飾品素材である。
○課題を解決するための第４の考案
課題を解決するための第４の考案は、
ＸＹ平面における単体装飾品素材の中心線が、Ｙ＝Ｆ（Ｘ）で表され、単体装飾品素材の途中でＸＹ平面内に鋭角に折った折り曲げ部を有することを特徴とする請求項１に記載された単体装飾品素材である。
○課題を解決するための第５の考案
課題を解決するための第５の考案は、
請求項１から請求項４の何れかに記載された単体装飾品素材２組の単体装飾品素材を選択して、略１００％のアルミニューム接合板によってかしめ接合させて一つの複合装飾品素材としたことを特徴とする複合装飾品素材である。
○課題を解決するための第６の考案
請求項１から請求項５の何れかに記載された装飾品素材から２組の単体装飾品素材又は複合装飾品素材を選択して、略１００％のアルミニューム接合板によってかしめ接合させて一つの複合装飾品素材としたことを特徴とする複合装飾品素材である。
○課題を解決するための第７の考案
課題を解決するための第７の考案は、
請求項１〜請求項６の何れかに記載の単体装飾品素材又は複合装飾品素材を用いてなる王冠である。
○課題を解決するための第８の考案は、
請求項１〜請求項６の何れかに記載の単体装飾品素材又は複合装飾品素材を用いてなるティアラ。
○課題を解決するための第９の考案は、
請求項１〜請求項６の何れかに記載の単体装飾品素材又は複合装飾品素材を用いてなるオブジェである。
【考案の効果】
【００２８】
本考案に係る特徴的構成要件により、以下の本考案特有の効果を奏する。これにより、本考案の課題は、全て解消することができた。
○第１の考案による効果
第１の考案によれば、２本の略１００％のアルミニューム針金に、均等に撚りを加えた数珠繋ぎ状の撚り線の全部又は一部を曲線形状に成形した二次元曲線形状からなり、断面が丸状の成形撚り線を、加工台に載せて、ハンマー等でＺ方向に叩いて扁平加工して、断面がＺ方向の辺が短い矩形状となった単体装飾品素材において、ＸＹ平面における単体装飾品素材の中心線が、Ｙ＝Ｆ（Ｘ）で表され、単体装飾品素材の中心線の一部が二次元曲線形状となることの特徴的構成要件により、彫金のものと比べても豪華さを有していて、軽くて、安価な王冠、ティアラ等の頭飾品等に用いることができる装飾素材を提供することが可能となるという  当業者が予測困難な顕著な効果を奏することができる。
○第２の考案による効果
第２の考案によれば、  ＸＹ平面における単体装飾品素材の中心線が、Ｙ＝Ｆ（Ｘ）で表され、単体装飾品素材の中心線の一部が二次元渦巻き線形状となることの特徴的構成要件により、ビーズのものは、彫金のものと比べると豪華さにかけるという欠点が有ったが、彫金のものと比べても豪華さを有していて、さらに、軽くて、安価な王冠、ティアラ等の頭飾品等に用いることができる装飾素材を提供することが可能となるという当業者が予測困難な顕著な効果を奏することができる。
【００２９】
すなわち、単体装飾品素材の中心線の一部が二次元渦巻き線形状となることは、彫金のものと比べても同等程度の豪華さを付与するという当業者が予測困難な顕著な効果を奏することができる。
○第３の考案による効果
２本の略１００％のアルミニューム針金に、均等に撚りを加えた数珠繋ぎ状の撚り線の全部又は一部を曲線形状に成形した二次元曲線形状からなり、かつ数珠繋ぎ状の撚り線の途中で鋭角に折り曲げてあり、断面が丸状の成形撚り線を、加工台に載せて、ハンマー等でＺ方向に叩いて加工した断面がＺ方向の辺が短い矩形状となった単体装飾品素材において、ＸＹ平面における単体装飾品素材の中心線が、ＸＹ平面における単体装飾品素材の中心線が、Ｙ＝Ｆ（Ｘ）で表され、単体装飾品素材の途中でＸＹ平面内に鋭角に折った折り曲げ部を有することの特徴的構成要件により、ビーズのものは、彫金のものと比べると豪華さにかけるという欠点が有ったが、彫金のものと比べても豪華さを有していて、さらに、軽くて、安価な王冠、ティアラ等の頭飾品等に用いることができる装飾素材を提供することが可能となるという当業者が予測困難な顕著な効果を奏することができる。
【００３０】
すなわち、数珠繋ぎ状の撚り線の途中で鋭角に折り曲げてあることは、第２の考案以上に、彫金のものと比べても同等程度の豪華さを付与するという当業者が予測困難な顕著な効果を奏することができる。
○第４の考案による効果
第４の考案によれば、ＸＹ平面における単体装飾品素材の中心線が、Ｙ＝Ｆ（Ｘ）で表され、単体装飾品素材の途中でＸＹ平面内に鋭角に折った折り曲げ部を有することの特徴的構成要件により、第２の考案以上に、彫金のものと比べても同等程度の豪華さを付与するという当業者が予測困難な顕著な効果を奏することができる。
○第５の考案による効果
第５の考案によれば、  請求項１から請求項４の何れかに記載された単体装飾品素材２組の単体装飾品素材を選択して、略１００％のアルミニューム接合板によってかしめ接合させて一つの複合装飾品素材としたことの特徴的構成要件により、より構成が複雑で豪華な印象を与えて、彫金のものと比べても同等程度の豪華さを付与するという当業者が予測困難な顕著な効果を奏することができる。
【００３１】
○第６の考案による効果
第６の考案によれば、  請求項１から請求項５の何れかに記載された単体装飾品素材又は複合装飾品素材から２組の単体装飾品素材又は複合装飾品素材を選択して、略１００％のアルミニューム接合板によってかしめ接合させて一つの複合装飾品素材としたことの特徴的構成要件により、さらに構成が複雑で豪華な印象を与えて、彫金のものと比べても同等程度の豪華さを付与するという当業者が予測困難な顕著な効果を奏することができる。
すなわち、アルミニューム接合板でかしめ接合していない単体装飾品素材とアルミニューム接合板でかしめた複合装飾品素材同士をさらにルミニューム接合板でかしめ接合して、一つの複合装飾品素材を製作することにより、さらに構成が複雑で豪華な印象を与えて、彫金のものと比べても同等程度の豪華さを付与するという当業者が予測困難な顕著な効果を奏することができる。
○第７の考案による効果
第７の考案によれば、請求項１〜請求項６の何れかに記載の単体装飾品素材又は複合装飾品素材を用いた王冠とするにより、彫金のものと比べても豪華さを有していて、軽くて、安価な王冠の頭飾品の提供ができる。
○第８の考案による効果
第７の考案によれば、請求項１〜請求項６の何れかに記載の単体装飾品素材又は複合装飾品素材を用いたティアラとするにより、彫金のものと比べても豪華さを有していて、軽くて、安価なティアラの頭飾品の提供ができる。
○第９の考案による効果
第７の考案によれば、請求項１〜請求項６の何れかに記載の単体装飾品素材又は複合装飾品素材を用いたオブジェとするにより、彫金のものと比べても豪華さを有していて、軽くて、安価なオブジェの提供ができる。
【考案を実施するための最良の形態】
【００３２】
以下、本考案に係る、結束バンド携帯具に関する最良の実施形態について、図面を参照しながら説明する。    ここに、［図１］〜［図９］は、以下の通りである。
【００３３】
［図１］は、２本の略１００％のアルミニューム針金の平面図である。
【００３４】
［図２］は略１００％のアルミニューム接合板の平面図である。
【００３５】
［図３］（ａ）は、撚り線の平面図である。
【００３６】
［図３］（ｂ）は、撚り線の平面図（拡大図）と断面図（拡大図）である。
【００３７】
［図４］は、各種成形撚り線の正面図である。
【００３８】
［図５］は、加工後の各種成形撚り線（単体装飾品素材）を正面図である
［図６］は、単体装飾品素材又は複合装飾品素材をアルミニューム接合板でかしめ接合した１つの複合装飾品素材の平面図である
［図７］は、単体装飾品素材又は複合装飾品素材を用いてなる王冠の斜視図である。
【００３９】
［図８］は、単体装飾品素材又は複合装飾品素材を用いてなるティアラの平面図である。
【００４０】
［図９］は、単体装飾品素材又は複合装飾品素材を用いてなるオブジェの斜視図である。
【００４１】
［図１０］（ａ）は、加工前の各種成形撚り線の正面図（拡大図）とＡ−Ａ断面図（拡大図）である
［図１０］（ｂ）は、加工後の各種成形撚り線の正面図（拡大図）とＢ−Ｂ断面図（拡大図）である
＊＊＊＊＊＊＊＊＊＊＊＊＊＊＊＊＊＊＊＊＊＊＊＊＊＊＊＊＊＊＊＊＊＊＊＊＊＊＊＊
＜単体装飾品素材＞
本考案に係る単体装飾品素材１１、１２、１３、１４は、２本の略１００％のアルミニューム針金１，２に、均等に撚りを加えた数珠繋ぎ状の撚り線３の全部又は一部を曲線形状に成形した二次元曲線形状からなり、断面が丸状の成形撚り線１１、１２、１３、１４を、加工台（図示せず）に載せて、ハンマー等でＺ方向に叩いて扁平加工して、断面がＺ方向の辺が短い矩形状となった単体装飾品素材において、ＸＹ平面における単体装飾品素材１１、１２、１３、１４の中心線が、Ｙ＝Ｆ（Ｘ）で表され、単体装飾品素材１１、１２、１３、１４の中心線の一部が二次元曲線形状となることを特徴とする単体装飾品素材１１、１２、１３、１４である。
【００４２】
略１００％（約９５％〜１００％）のアルミニューム針金１，２は、軽銀細工（アルミニューム細工）の基本材料であり、２本のアルミニューム針金（線形が、異なっても可）１，２用意して、撚りを加えて１本の数珠繋ぎ状の撚り線３を製作する。
【００４３】
より具体的には、略１００％のアルミニューム針金とは、アルミニウム純度約９５％〜１００％のアルミ針金（０．９ｍｍ〜３ｍｍ）をいう。
【００４４】
２本のアルミニューム針金１，２の組合せ例としては、以下の通りである（図１を参照）。
【００４５】
０．９ｍｍと０．９ｍｍ、０．９ｍｍと１ｍｍ、１ｍｍと１ｍｍ、１ｍｍと１．２ｍｍ、１．２ｍｍと１．２ｍｍ、１．２ｍｍと１．６ｍｍ、１．６ｍｍと１．６ｍｍ、１．６ｍｍと２ｍｍ、２ｍｍと２ｍｍ、２ｍｍと２．６ｍｍ、２．６ｍｍと２．６ｍｍ等の組合せ例が有る。
【００４６】
単体装飾品素材１１、１２、１３、１４の中心線の一部が二次元曲線形状となっていて、単体装飾品素材１１、１２、１３、１４の中心線の他部は、直線形状となっている。
【００４７】
ＸＹ平面における単体装飾品素材１１、１２、１３、１４の中心線が、Ｙ＝Ｆ（Ｘ）で表され、単体装飾品素材１１、１２、１３、１４の中心線の一部が二次元渦巻き線形状となっている単体装飾品素材１１、１２、１３、１４を示している。
【００４８】
他の実施形態は、２本の略１００％のアルミニューム針金１，２に、均等に撚りを加えた数珠繋ぎ状の撚り線３の全部又は一部を曲線形状に成形した二次元曲線形状からなり、かつ数珠繋ぎ状の撚り線３の途中で鋭角に折り曲げてあり、断面が丸状の成形撚り線４を、加工台に載せて、ハンマー等でＺ方向に叩いて加工した断面がＺ方向の辺が短い矩形状となった単体装飾品素材１１、１２、１３、１４において、ＸＹ平面における単体装飾品素材１１、１２、１３、１４の中心線が、ＸＹ平面における単体装飾品素材１１、１２、１３、１４の中心線が、Ｙ＝Ｆ（Ｘ）で表され、単体装飾品素材１１、１２、１３、１４の途中でＸＹ平面内に鋭角に折った折り曲げ部を有することを特徴とする請求項１に記載された単体装飾品素材１１、１２、１３、１４である。
【００４９】
数珠繋ぎ状の撚り線３の途中で鋭角に折り曲げてありことが、本実施形態の特徴である。
【００５０】
一本の撚り線３を鋭角に折り曲げてありことにより、単体装飾品素材１１、１２、１３、１４でありながら、豪華さの点では、単体装飾品素材１１、１２、１３、１４同士を略１００％のアルミニューム接合板５によりかしめ接合した１つの複合装飾品素材３０と同等の効果を有し、さらに接合部分がないので製作効率が高くコストダウンにつながり、一体物なので強度的にも優れている。
【００５１】
ＸＹ平面における単体装飾品素材１１、１２、１３、１４の中心線が、Ｙ＝Ｆ（Ｘ）で表され、単体装飾品素材１１、１２、１３、１４の途中でＸＹ平面内に鋭角に折った折り曲げ部を有することを特徴とする請求項１に記載された単体装飾品素材１１、１２、１３、１４を示す。
＜複合装飾品素材＞
請求項１から請求項４の何れかに記載された単体装飾品素材１１、１２、１３，１４の単体装飾品素材２組を選択して、略１００％のアルミニューム接合板５によってかしめ接合させて一つの複合装飾品素材としたことを特徴とする複合装飾品素材３０も製作する事ができる。
【００５２】
本考案とすることにより、いくらでも豪華な複合装飾品素材３０を製作することが可能となる。
【００５３】
請求項１から請求項５の何れかに記載された単体装飾品素材１１、１２、１３，１４又は複合装飾品素材３０から２組の単体装飾品素材１１、１２、１３，１４又は複合装飾品素材３０を選択して、略１００％のアルミニューム接合板５によってかしめ接合させて一つの複合装飾品素材３０としたことを特徴とする複合装飾品素材３０も製作する事ができる。単体装飾品素材１１同士の組合せ、単体装飾品素材１１、１２、１３、１４と複合装飾品素材３０の組合せ、複合装飾品素材３０同士の組合せにより、いくらでも豪華な１つの複合装飾品素材３０とすることが可能となる。
＜頭飾品等＞
請求項１〜請求項６の何れかに記載の単体装飾品素材１１、１２、１３，１４又は複合装飾品素材３０を用いてなる王冠（ブライダル用王冠）４０を、図７に示す。
【００５４】
請求項１〜請求項６の何れかに記載の単体装飾品素材１１、１２、１３，１４又は複合装飾品素材３０を用いてなるティアラ（バレーティアラ）５０，５１を、図８に示す。
【００５５】
請求項１〜請求項６の何れかに記載の単体装飾品素材１１、１２、１３，１４又は複合装飾品素材２０を用いてなるオブジェ６０，６１を、図９に示す。
【図面の簡単な説明】
【００５６】
【図１】は、２本の略１００％のアルミニューム針金の平面図である。
【図２】は略１００％のアルミニューム接合板の平面図である。
【図３】（ａ）は、撚り線の平面図である、（ｂ）は、撚り線の平面図（拡大図）である。
【図４】は、各種成形撚り線の平面図である。
【図５】は、加工後の各種成形撚り線（単体装飾品素材）を平面図である
【図６】は、単体装飾品素材又は複合装飾品素材をアルミニューム接合板でかしめ接合した１つの複合装飾品素材の平面図である
【図７】は、単体装飾品素材又は複合装飾品素材を用いてなる王冠の斜視図である。
【図８】は、単体装飾品素材又は複合装飾品素材を用いてなるティアラ５０，５１の平面図である。
【図９】は、単体装飾品素材又は複合装飾品素材を用いてなるオブジェ６０，６１の斜視図である。
【図１０】（ａ）は、加工前の各種成形撚り線の正面図（拡大図）とＡ−Ａ断面図（拡大図）である、（ｂ）は、加工後の各種成形撚り線の正面図（拡大図）とＢ−Ｂ断面図（拡大図）である    である
【符号の説明】
【００５７】
１，２                            アルミニューム針金
３                                撚り線
４                                成形撚り線
５                                アルミニューム接合板
１１，１２，１３，１４            （扁平加工されていない）成形撚り線
２１，２２，２３，２４            （扁平加工された）単体装飾品素材
３０                              複合装飾品素材
４０                              王冠
５０、５１                        ティアラ
６０、６１                        オブジェ
【図１】
0003138212.tif 000003
【図２】
0003138212.tif 000004
【図３】
0003138212.tif 000005
【図４】
0003138212.tif 000006
【図５】
0003138212.tif 000007
【図６】
0003138212.tif 000008
【図１０】
0003138212.tif 000009
【図７】
0003138212.tif 000010
【図８】
0003138212.tif 000011
【図９】
0003138212.tif 000012
【手続補正書】
【提出日】平成19年8月17日(2007.8.17)
【手続補正１】
【補正対象書類名】明細書
【補正対象項目名】全文
【補正方法】変更
【補正の内容】
【考案の詳細な説明】
【技術分野】
【０００１】
本考案は、軽くて、安価な王冠、ティアラ等の頭飾品等に用いることができる装飾素材に関する。
【０００２】
本考案は、軽くて、安価な王冠、ティアラ等の頭飾品等に関する。
【背景技術】
【０００３】
従来から、王冠、ティアラ等の装身具は、中世ヨーロッパにて王室や貴族の権威の象徴であり、高度な彫金技術を要し、金銀・宝石で装飾した希少価値の高い工芸品として、現在も高い地位を確立しています。
【０００４】
我国では、王冠、ティアラ等の頭飾品は、主にクラッシックバレエやブライダルの頭飾りとして用いられるため、安く、安価で手軽に作れるビーズのものが主流となっていた。
【０００５】
しかし、ビーズのものには、彫金のものと比べると豪華さにかけるという欠点が有った。
【０００６】
したがって、彫金のものと比べても豪華さを有していて、軽くて、安価な王冠、ティアラ等の頭飾品の提供が望まれていた。
【０００７】
以下は、本考案とは直接関係ないが、王冠、ティアラ等の頭飾品とは何かについて説明した特許文献である。
【特許文献１】特開平９−３０８５１２号公報
【考案の開示】
【考案が解決しようとする課題】
【０００８】
本考案が解決しようとする課題は、彫金のものと比べても豪華さを有していて、軽くて、安価な王冠、ティアラ等の頭飾品等に用いることができる装飾素材を提供することである。
【０００９】
本考案が解決しようとする課題は、彫金のものと比べても豪華さを有していて、軽くて、安価な王冠、ティアラ等の頭飾品等を提供することである。
【課題を解決するための手段】
【００１０】
本考案者は、上記従来技術が有する各種の問題点に鑑み、鋭意検討を重ねた結果、本考案を想到するに至った。
【００１１】
従来、我国では、王冠、ティアラ等の頭飾品は、主にクラッシックバレエやブライダルの頭飾りとして用いられるため、安く、安価で手軽に作れるビーズのものが主流となっていた。
【００１２】
しかし、ビーズのものには、彫金のものと比べると豪華さにかけるという欠点が有った。
【００１３】
したがって、彫金のものと比べても豪華さを有していて、軽くて、安価な王冠、ティアラ等の頭飾品の提供が望まれていた
出願人は、かかる状況に鑑みて、軽銀細工（アルミ細工）の技術を適用するという着想によって、彫金のものと比べても豪華さを有していて、軽くて、安価な王冠、ティアラ等の頭飾品等に用いることができる装飾素材を提供することが可能となった。
【００１４】
軽くて、安価な王冠、ティアラ等の頭飾品等に用いることができる装飾素材を提供することが可能となったことによって、軽くて、安価な王冠、ティアラ等の頭飾品等を提供することが可能となった。
【００１５】
課題を解決するための手段は、本願、実用新案登録請求の範囲の各請求項に記載の考案であり、その具体的な解決手段は、以下の通りである。
【００１６】
本考案の解釈上の疑義を解消すべく、以下予め用語の説明を行うこととする。
【００１７】
＜用語の説明＞
○軽銀細工（アルミニューム細工）とは、手先を使って細かい装飾素材などを作ることをいう。または、軽銀細工（アルミニューム細工）によって作ったもの（装飾素材、を用いた頭飾品などをいう。）をいう場合もある。
○略１００％のアルミニューム針金とは、軽銀細工（アルミニューム細工）の基本材料であり、２本のアルミニューム針金（線形が、異なっても可）を２組用意して、撚りを加えて１本の数珠繋ぎ状の撚り線を製作する。
【００１８】
より具体的には、略１００％のアルミニューム針金とは、アルミニウム純度約９５％〜１００％のアルミ針金（０．９ｍｍ〜３ｍｍ）をいう。
【００１９】
２本のアルミニューム針金の組合せ例としては、以下の通りである。
【００２０】
０．９ｍｍと０．９ｍｍ、０．９ｍｍと１ｍｍ、１ｍｍと１ｍｍ、１ｍｍと１．２ｍｍ、１．２ｍｍと１．２ｍｍ、１．２ｍｍと１．６ｍｍ、１．６ｍｍと１．６ｍｍ、１．６ｍｍと２ｍｍ、２ｍｍと２ｍｍ、２ｍｍと２．６ｍｍ、２．６ｍｍと２．６ｍｍ等の組合せ例が有る。
○数珠繋ぎ状の撚り線とは、２本のアルミニューム針金（線形が、異なっても可）を２組用意して、撚りをかけて製作した１本の数珠繋ぎ状の撚り線をいう。
○断面が丸状の成形撚り線とは、全部又は一部を曲線形状に成形した二次元曲線形状であって、断面が丸2個型の撚りをかけて製作した１本の数珠繋ぎ状の撚り線をいう。
○全部又は一部を曲線形状に成形した二次元曲線形状とは、均等に撚りを加えた数珠繋ぎ状の撚り線（直線状）の全部又は一部を曲線形状に成形した二次元曲線形状をいう。
○扁平加工とは、二次元曲線形状からなる断面が丸状の成形撚り線を、加工台に載せて、ハンマー等でＺ方向に叩いて扁平にする加工をいう。ここに、断面が丸状の成形撚り線を、扁平加工にした結果物が、断面がＺ方向の辺が短い矩形状となった単体装飾品素材である。
【００２１】
扁平加工による加工硬化により、扁平加工にした結果物の単体装飾品素材が強度を付与されるという効果を有する。
○装飾品素材とは、単体装飾品素材と複合装飾品素材に分類される。
○単体装飾品素材とは、アルミニューム接合板を構成要素としていない装飾品素材をいう。
○複合装飾品素材とは、単体装飾品素材同士、単体装飾品素材と複合装飾品素材、複合素材同士を選択して、略１００％のアルミニューム接合板によってかしめ接合させて一つの複合装飾品素材とした装飾品素材をいう。
○ＸＹ平面における装飾品素材の中心線とは、装飾品素材の断面の中心点の集合をいい、装飾品素材の断面の中心点の集合は、ＸＹ平面にある。
○Ｙ＝Ｆ（Ｘ）で表され、単体装飾品素材の中心線の一部が二次元曲線形状とは、均等に撚りを加えた数珠繋ぎ状の撚り線（直線状）の全部又は一部を曲線形状に成形した二次元曲線形状からなる断面が丸状の成形撚り線を、加工台に載せて、ハンマー等でＺ方向に叩いて扁平加工して、断面がＺ方向の辺が短い矩形状となった単体装飾品素材を製作するが、かかる単体装飾品素材の形状を表現したものである。単体装飾品素材の形状は、Ｙ＝Ｆ（Ｘ）で表され、装飾品素材の中心線の一部が二次元曲線形状となる。
【００２２】
ここに、撚り線（直線状）の全部又は一部を曲線形状に成形した二次元曲線形状、装飾品素材の中心線の一部が二次元曲線形状は、共にＹ＝Ｆ（Ｘ）で表される。
【００２３】
なお、撚り線（直線状）の全部又は一部を曲線形状に成形した二次元曲線形状は、若干三次元的に表現されていても、成形撚り線を、加工台に載せて、ハンマー等でＺ方向に叩いて扁平加工する段階で、単体装飾品素材の中心線の一部が二次元曲線形状となる。
○アルミニューム接合板とは、装飾品素材２組を、かしめ接合させて一つの装飾品素材とするために用いられ、略１００％のアルミニューム接合板である。アルミニウムは成形加工性に極めて優れて、切断、曲げ、絞りなどが容易にできる。本考案における装飾品素材２組を、かしめ接合させる板金加工にも適した材料といえる。
【００２４】
より具体的には、アルミニューム接合板には、アルミニューム（厚さ０．３ｍｍ）を巾３ｍｍ、長さ１０ｍｍ〜１６ｍｍに切断したものを用いる。
○王冠とは、例えば、ブライダル用王冠の場合は、花嫁が、ウェディングドレスの時などに頭につける王冠をいう。
○ティアラとは、正装に用いる王冠形や半円の形をしたヘッドアクセサリーをいう。
○オブジェとは、前衛芸術で、作品中に用いられる石・木片・金属などさまざまな物をいう。
【００２５】
＜記号の説明＞
○ＸＹＺ座標系とは、成形撚り線、又は単体装飾品素材において、成形撚り線を、加工台に載せて、ハンマー等で叩いて扁平加工する際の、叩くＺ方向をＺ方向（重力方向）とすれば、単体装飾品素材の中心線は、ＸＹ平面にあり、ＸＹ平面における単体装飾品素材の中心線が、Ｙ＝Ｆ（Ｘ）で表現される。
○Ｚ方向とは、加工台に載せて、ハンマー等で叩いて扁平加工する際の、叩くＺ方向（重力方向）をいう。
○ＸＹ平面とは、成形撚り線、又は単体装飾品素材において、成形撚り線を、加工台に載せて、ハンマー等で叩いて扁平加工する際の、叩くＺ方向をＺ方向（重力方向）とすれば、Ｚ方向に直行する平面をいう。単体装飾品素材の中心線は、ＸＹ平面にあり、ＸＹ平面における単体装飾品素材の中心線が、Ｙ＝Ｆ（Ｘ）で表現される。加工台の平面は、ＸＹ平面に並行であり、Ｚ方向に垂直である。
＜軽銀細工（アルミニウム細工）の制作手順＞
（１）撚り線の制作
純金のアルミニウム針金２本１、２を用意して、均等に捩って１本の撚り線３、断面は丸２個型を制作する。出来上がった１本の撚り線３は、柔軟性に富み、人の手の指で簡単に形状を整えることができる。
【００２６】
すなわち、均等な撚りを加えることによって、容易に形成が可能となり、最終的に曲線形状を有する装飾品素材の製作が可能となる。
（２）撚り線の成形
装飾品素材のデザインに基づいて、装飾品素材の各パーツ毎に撚り線（装飾品素材の材料）３の成形を行う。
【００２７】
純金のアルミニウム針金２本１、２を用意して、均等に捩って１本の撚り線３、断面は丸２個型を制作する。出来上がった１本の撚り線３は、柔軟性に富み、人の手の指で簡単に形状を整えて、均等に撚りを加えた数珠繋ぎ状の撚り線の全部又は一部を曲線形状に成形した二次元曲線形状からなり、かつ数珠繋ぎ状の撚り線の途中で鋭角に折り曲げてあり、断面が丸２個型の成形撚り線１１、１２、１３、１４を製作する。
（３）成形した撚り線の扁平加工
成形した撚り線（断面は丸２個型）１１、１２、１３、１４を、ハンマー等でＺ方向に叩いて扁平加工して、断面がＺ方向の辺が短い矩形状の装飾品素材２１、２２、２３、２４を製作する。
出来上がった断面がＺ方向の辺が短い矩形状の装飾品素材は、ＸＹ平面における装飾品素材の中心線が、Ｙ＝Ｆ（Ｘ）で表され、装飾品素材の中心線の一部が二次元曲線形状となる。これは、成形した撚り線（断面は丸２個型）の成形した形状が、扁平加工後も保持されることにより、装飾品素材２１〜２４の中心線の一部が二次元曲線形状となる。
（４）複数の装飾品素材２１、２２、２３、２４をアルミニウム板５によるかしめ接合
複数の装飾品素材をアルミニウム板５によりかしめ接合して、１つの装飾品素材３０（装飾品素材２１、２２、２３、２４からなる）とする。
【００２８】
装飾品素材のデザインによっては、着色、又は石付けを行う場合が有る。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○課題を解決するための第１の考案
課題を解決するための第１の考案は、
２本の略１００％のアルミニューム針金に、均等に撚りを加えた数珠繋ぎ状の撚り線の全部又は一部を曲線形状に成形した二次元曲線形状からなり、断面が丸状の成形撚り線を、加工台に載せて、ハンマー等でＺ方向に叩いて扁平加工して、断面がＺ方向の辺が短い矩形状となった単体装飾品素材において、ＸＹ平面における単体装飾品素材の中心線が、Ｙ＝Ｆ（Ｘ）で表され、単体装飾品素材の中心線の一部が二次元曲線形状となることを特徴とする単体装飾品素材である。
○課題を解決するための第２の考案
課題を解決するための第２の考案は、
ＸＹ平面における単体装飾品素材の中心線が、Ｙ＝Ｆ（Ｘ）で表され、単体装飾品素材の中心線の一部が二次元渦巻き線形状となることを特徴とする請求項１に記載された単体装飾品素材である。
○課題を解決するための第３の考案
課題を解決するための第３の考案は、
２本の略１００％のアルミニューム針金に、均等に撚りを加えた数珠繋ぎ状の撚り線の全部又は一部を曲線形状に成形した二次元曲線形状からなり、かつ数珠繋ぎ状の撚り線の途中で鋭角に折り曲げてあり、断面が丸状の成形撚り線を、加工台に載せて、ハンマー等でＺ方向に叩いて加工した断面がＺ方向の辺が短い矩形状となった単体装飾品素材において、ＸＹ平面における単体装飾品素材の中心線が、ＸＹ平面における単体装飾品素材の中心線が、Ｙ＝Ｆ（Ｘ）で表され、単体装飾品素材の途中でＸＹ平面内に鋭角に折った折り曲げ部を有することを特徴とする請求項１に記載された単体装飾品素材である。
○課題を解決するための第４の考案
課題を解決するための第４の考案は、
ＸＹ平面における単体装飾品素材の中心線が、Ｙ＝Ｆ（Ｘ）で表され、単体装飾品素材の途中でＸＹ平面内に鋭角に折った折り曲げ部を有することを特徴とする請求項１に記載された単体装飾品素材である。
○課題を解決するための第５の考案
課題を解決するための第５の考案は、
請求項１から請求項４の何れかに記載された単体装飾品素材２組の単体装飾品素材を選択して、略１００％のアルミニューム接合板によってかしめ接合させて一つの複合装飾品素材としたことを特徴とする複合装飾品素材である。
○課題を解決するための第６の考案
請求項１から請求項５の何れかに記載された装飾品素材から２組の単体装飾品素材又は複合装飾品素材を選択して、略１００％のアルミニューム接合板によってかしめ接合させて一つの複合装飾品素材としたことを特徴とする複合装飾品素材である。
○課題を解決するための第７の考案
課題を解決するための第７の考案は、
請求項１〜請求項６の何れかに記載の単体装飾品素材又は複合装飾品素材を用いてなる王冠である。
○課題を解決するための第８の考案は、
請求項１〜請求項６の何れかに記載の単体装飾品素材又は複合装飾品素材を用いてなるティアラ。
○課題を解決するための第９の考案は、
請求項１〜請求項６の何れかに記載の単体装飾品素材又は複合装飾品素材を用いてなるオブジェである。
【考案の効果】
【００２９】
本考案に係る特徴的構成要件により、以下の本考案特有の効果を奏する。これにより、本考案の課題は、全て解消することができた。
○第１の考案による効果
第１の考案によれば、２本の略１００％のアルミニューム針金に、均等に撚りを加えた数珠繋ぎ状の撚り線の全部又は一部を曲線形状に成形した二次元曲線形状からなり、断面が丸状の成形撚り線を、加工台に載せて、ハンマー等でＺ方向に叩いて扁平加工して、断面がＺ方向の辺が短い矩形状となった単体装飾品素材において、ＸＹ平面における単体装飾品素材の中心線が、Ｙ＝Ｆ（Ｘ）で表され、単体装飾品素材の中心線の一部が二次元曲線形状となることの特徴的構成要件により、彫金のものと比べても豪華さを有していて、軽くて、安価な王冠、ティアラ等の頭飾品等に用いることができる装飾素材を提供することが可能となるという  当業者が予測困難な顕著な効果を奏することができる。
○第２の考案による効果
第２の考案によれば、  ＸＹ平面における単体装飾品素材の中心線が、Ｙ＝Ｆ（Ｘ）で表され、単体装飾品素材の中心線の一部が二次元渦巻き線形状となることの特徴的構成要件により、ビーズのものは、彫金のものと比べると豪華さにかけるという欠点が有ったが、彫金のものと比べても豪華さを有していて、さらに、軽くて、安価な王冠、ティアラ等の頭飾品等に用いることができる装飾素材を提供することが可能となるという当業者が予測困難な顕著な効果を奏することができる。
【００３０】
すなわち、単体装飾品素材の中心線の一部が二次元渦巻き線形状となることは、彫金のものと比べても同等程度の豪華さを付与するという当業者が予測困難な顕著な効果を奏することができる。
○第３の考案による効果
２本の略１００％のアルミニューム針金に、均等に撚りを加えた数珠繋ぎ状の撚り線の全部又は一部を曲線形状に成形した二次元曲線形状からなり、かつ数珠繋ぎ状の撚り線の途中で鋭角に折り曲げてあり、断面が丸状の成形撚り線を、加工台に載せて、ハンマー等でＺ方向に叩いて加工した断面がＺ方向の辺が短い矩形状となった単体装飾品素材において、ＸＹ平面における単体装飾品素材の中心線が、ＸＹ平面における単体装飾品素材の中心線が、Ｙ＝Ｆ（Ｘ）で表され、単体装飾品素材の途中でＸＹ平面内に鋭角に折った折り曲げ部を有することの特徴的構成要件により、ビーズのものは、彫金のものと比べると豪華さにかけるという欠点が有ったが、彫金のものと比べても豪華さを有していて、さらに、軽くて、安価な王冠、ティアラ等の頭飾品等に用いることができる装飾素材を提供することが可能となるという当業者が予測困難な顕著な効果を奏することができる。
【００３１】
すなわち、数珠繋ぎ状の撚り線の途中で鋭角に折り曲げてあることは、第２の考案以上に、彫金のものと比べても同等程度の豪華さを付与するという当業者が予測困難な顕著な効果を奏することができる。
○第４の考案による効果
第４の考案によれば、ＸＹ平面における単体装飾品素材の中心線が、Ｙ＝Ｆ（Ｘ）で表され、単体装飾品素材の途中でＸＹ平面内に鋭角に折った折り曲げ部を有することの特徴的構成要件により、第２の考案以上に、彫金のものと比べても同等程度の豪華さを付与するという当業者が予測困難な顕著な効果を奏することができる。
○第５の考案による効果
第５の考案によれば、  請求項１から請求項４の何れかに記載された単体装飾品素材２組の単体装飾品素材を選択して、略１００％のアルミニューム接合板によってかしめ接合させて一つの複合装飾品素材としたことの特徴的構成要件により、より構成が複雑で豪華な印象を与えて、彫金のものと比べても同等程度の豪華さを付与するという当業者が予測困難な顕著な効果を奏することができる。
【００３２】
○第６の考案による効果
第６の考案によれば、  請求項１から請求項５の何れかに記載された単体装飾品素材又は複合装飾品素材から２組の単体装飾品素材又は複合装飾品素材を選択して、略１００％のアルミニューム接合板によってかしめ接合させて一つの複合装飾品素材としたことの特徴的構成要件により、さらに構成が複雑で豪華な印象を与えて、彫金のものと比べても同等程度の豪華さを付与するという当業者が予測困難な顕著な効果を奏することができる。
すなわち、アルミニューム接合板でかしめ接合していない単体装飾品素材とアルミニューム接合板でかしめた複合装飾品素材同士をさらにルミニューム接合板でかしめ接合して、一つの複合装飾品素材を製作することにより、さらに構成が複雑で豪華な印象を与えて、彫金のものと比べても同等程度の豪華さを付与するという当業者が予測困難な顕著な効果を奏することができる。
○第７の考案による効果
第７の考案によれば、請求項１〜請求項６の何れかに記載の単体装飾品素材又は複合装飾品素材を用いた王冠とするにより、彫金のものと比べても豪華さを有していて、軽くて、安価な王冠の頭飾品の提供ができる。
○第８の考案による効果
第７の考案によれば、請求項１〜請求項６の何れかに記載の単体装飾品素材又は複合装飾品素材を用いたティアラとするにより、彫金のものと比べても豪華さを有していて、軽くて、安価なティアラの頭飾品の提供ができる。
○第９の考案による効果
第７の考案によれば、請求項１〜請求項６の何れかに記載の単体装飾品素材又は複合装飾品素材を用いたオブジェとするにより、彫金のものと比べても豪華さを有していて、軽くて、安価なオブジェの提供ができる。
【考案を実施するための最良の形態】
【００３３】
以下、本考案に係る、結束バンド携帯具に関する最良の実施形態について、図面を参照しながら説明する。    ここに、［図１］〜［図９］は、以下の通りである。
【００３４】
［図１］は、２本の略１００％のアルミニューム針金の平面図である。
【００３５】
［図２］は略１００％のアルミニューム接合板の平面図である。
【００３６】
［図３］（ａ）は、撚り線の平面図である。
【００３７】
［図３］（ｂ）は、撚り線の平面図（拡大図）と断面図（拡大図）である。
【００３８】
［図４］は、各種成形撚り線の正面図である。
【００３９】
［図５］は、加工後の各種成形撚り線（単体装飾品素材）を正面図である
［図６］は、単体装飾品素材又は複合装飾品素材をアルミニューム接合板でかしめ接合した１つの複合装飾品素材の平面図である
［図７］は、単体装飾品素材又は複合装飾品素材を用いてなる王冠の斜視図である。
【００４０】
［図８］（ａ）（ｂ）は、単体装飾品素材又は複合装飾品素材を用いてなるティアラ５０，５１の平面図である。
【００４１】
［図９］（ａ）（ｂ）は、単体装飾品素材又は複合装飾品素材を用いてなるオブジェ６０，６１の斜視図である。
【００４２】
［図１０］（ａ）は、加工前の各種成形撚り線の正面図（拡大図）とＡ−Ａ断面図（拡大図）である
［図１０］（ｂ）は、加工後の各種成形撚り線の正面図（拡大図）とＢ−Ｂ断面図（拡大図）である
＊＊＊＊＊＊＊＊＊＊＊＊＊＊＊＊＊＊＊＊＊＊＊＊＊＊＊＊＊＊＊＊＊＊＊＊＊＊＊＊
＜単体装飾品素材＞
本考案に係る単体装飾品素材２１、２２、２３，２４は、２本の略１００％のアルミニューム針金１，２に、均等に撚りを加えた数珠繋ぎ状の撚り線３の全部又は一部を曲線形状に成形した二次元曲線形状からなり、断面が丸状の成形撚り線１１、１２、１３、１４を、加工台（図示せず）に載せて、ハンマー等でＺ方向に叩いて扁平加工して、断面がＺ方向の辺が短い矩形状となった単体装飾品素材において、ＸＹ平面における単体装飾品素材２１、２２、２３，２４の中心線が、Ｙ＝Ｆ（Ｘ）で表され、単体装飾品素材２１、２２、２３，２４の中心線の一部が二次元曲線形状となることを特徴とする単体装飾品素材２１、２２、２３，２４である。
【００４３】
略１００％（約９５％〜１００％）のアルミニューム針金１，２は、軽銀細工（アルミニューム細工）の基本材料であり、２本のアルミニューム針金（線形が、異なっても可）１，２用意して、撚りを加えて１本の数珠繋ぎ状の撚り線３を製作する。
【００４４】
より具体的には、略１００％のアルミニューム針金とは、アルミニウム純度約９５％〜１００％のアルミ針金（０．９ｍｍ〜３ｍｍ）をいう。
【００４５】
２本のアルミニューム針金１，２の組合せ例としては、以下の通りである（図１を参照）。
【００４６】
０．９ｍｍと０．９ｍｍ、０．９ｍｍと１ｍｍ、１ｍｍと１ｍｍ、１ｍｍと１．２ｍｍ、１．２ｍｍと１．２ｍｍ、１．２ｍｍと１．６ｍｍ、１．６ｍｍと１．６ｍｍ、１．６ｍｍと２ｍｍ、２ｍｍと２ｍｍ、２ｍｍと２．６ｍｍ、２．６ｍｍと２．６ｍｍ等の組合せ例が有る。
【００４７】
単体装飾品素材２１、２２、２３，２４の中心線の一部が二次元曲線形状となっていて、単体装飾品素材２１、２２、２３，２４の中心線の他部は、直線形状となっている。
【００４８】
ＸＹ平面における単体装飾品素材２１、２２、２３，２４の中心線が、Ｙ＝Ｆ（Ｘ）で表され、単体装飾品素材２１、２２、２３，２４の中心線の一部が二次元渦巻き線形状となっている単体装飾品素材２１、２２、２３，２４を示している。
【００４９】
他の実施形態は、２本の略１００％のアルミニューム針金１，２に、均等に撚りを加えた数珠繋ぎ状の撚り線３の全部又は一部を曲線形状に成形した二次元曲線形状からなり、かつ数珠繋ぎ状の撚り線３の途中で鋭角に折り曲げてあり、断面が丸状の成形撚り線４を、加工台に載せて、ハンマー等でＺ方向に叩いて加工した断面がＺ方向の辺が短い矩形状となった単体装飾品素材２１、２２、２３，２４において、ＸＹ平面における単体装飾品素材２１、２２、２３，２４の中心線が、ＸＹ平面における単体装飾品素材２１、２２、２３，２４の中心線が、Ｙ＝Ｆ（Ｘ）で表され、単体装飾品素材２１、２２、２３，２４の途中でＸＹ平面内に鋭角に折った折り曲げ部を有することを特徴とする請求項１に記載された単体装飾品素材２１、２２、２３，２４である。
【００５０】
数珠繋ぎ状の撚り線３の途中で鋭角に折り曲げてありことが、本実施形態の特徴である。
【００５１】
一本の撚り線３を鋭角に折り曲げてありことにより、単体装飾品素材１１、１２、１３、１４でありながら、豪華さの点では、単体装飾品素材２１、２２、２３，２４同士を略１００％のアルミニューム接合板５によりかしめ接合した１つの複合装飾品素材３０と同等の効果を有し、さらに接合部分がないので製作効率が高くコストダウンにつながり、一体物なので強度的にも優れている。
【００５２】
ＸＹ平面における単体装飾品素材２１、２２、２３，２４の中心線が、Ｙ＝Ｆ（Ｘ）で表され、単体装飾品素材２１、２２、２３，２４の途中でＸＹ平面内に鋭角に折った折り曲げ部を有することを特徴とする請求項１に記載された単体装飾品素材２１、２２、２３，２４を示す。
＜複合装飾品素材＞
請求項１から請求項４の何れかに記載された単体装飾品素材２１、２２、２３，２４の単体装飾品素材２組を選択して、略１００％のアルミニューム接合板５によってかしめ接合させて一つの複合装飾品素材としたことを特徴とする複合装飾品素材３０も製作する事ができる。
【００５３】
本考案とすることにより、いくらでも豪華な複合装飾品素材３０を製作することが可能となる。
【００５４】
請求項１から請求項５の何れかに記載された単体装飾品素材２１、２２、２３，２４又は複合装飾品素材３０から２組の単体装飾品素材２１、２２、２３，２４又は複合装飾品素材３０を選択して、略１００％のアルミニューム接合板５によってかしめ接合させて一つの複合装飾品素材３０としたことを特徴とする複合装飾品素材３０も製作する事ができる。単体装飾品素材２１、２２、２３，２４同士の組合せ、単体装飾品素材２１、２２、２３，２４と複合装飾品素材３０の組合せ、複合装飾品素材３０同士の組合せにより、いくらでも豪華な１つの複合装飾品素材３０とすることが可能となる。
＜頭飾品等＞
請求項１〜請求項６の何れかに記載の単体装飾品素材２１、２２、２３，２４又は複合装飾品素材３０を用いてなる王冠（ブライダル用王冠）４０を、図７に示す。
【００５５】
請求項１〜請求項６の何れかに記載の単体装飾品素材２１、２２、２３，２４又は複合装飾品素材３０を用いてなるティアラ（バレーティアラ）５０，５１を、それぞれ、図８（ａ）（ｂ）に示す。
【００５６】
請求項１〜請求項６の何れかに記載の単体装飾品素材２１、２２、２３，２４又は複合装飾品素材３０を用いてなるオブジェ６０，６１を、それぞれ、図９（ａ）（ｂ）に示す。
【図面の簡単な説明】
【００５７】
【図１】は、２本の略１００％のアルミニューム針金の平面図である。
【図２】は略１００％のアルミニューム接合板の平面図である。
【図３】（ａ）は、撚り線の平面図である、（ｂ）は、撚り線の平面図（拡大図）である。
【図４】は、各種成形撚り線の正面図である。
【図５】は、加工後の各種成形撚り線（単体装飾品素材）の正面図である
【図６】は、単体装飾品素材又は複合装飾品素材をアルミニューム接合板でかしめ接合した１つの複合装飾品素材の平面図である
【図７】は、単体装飾品素材又は複合装飾品素材を用いてなる王冠の斜視図である。
【図８】（ａ）（ｂ）は、単体装飾品素材又は複合装飾品素材を用いてなるティアラ５０，５１の平面図である。
【図９】（ａ）（ｂ）は、単体装飾品素材又は複合装飾品素材を用いてなるオブジェ６０，６１の斜視図である。
【図１０】（ａ）は、加工前の各種成形撚り線の正面図（拡大図）とＡ−Ａ断面図（拡大図）である、（ｂ）は、加工後の各種成形撚り線の正面図（拡大図）とＢ−Ｂ断面図（拡大図）である
【符号の説明】
【００５８】
１，２                            アルミニューム針金
３                                撚り線
４                                成形撚り線
５                                アルミニューム接合板
１１，１２，１３，１４            （扁平加工されていない）成形撚り線
２１，２２，２３，２４            （扁平加工された）単体装飾品素材
３０                              複合装飾品素材
４０                              王冠
５０、５１                        ティアラ
６０、６１                        オブジェ